(57)【要約】  多数のブリスターポケット（３）を備えるブリスターストリップ（２）から粉末状吸入製剤を送達するための受動的吸入器（１）を提案する。吸入器は、各々の索引操作で２つのブリスターポケットずつブリスターストリップを前方へ動かすように、または２つのブリスターストリップを受け入れるように適合されている。吸入器は、２つのブリスターポケットに同時に穴をあけるための２つの貫通要素（１７ａ、１７ｂ）を備え、穴をあけられたブリスターポケットの用量は、共通のマウスピース（８）を経由して同時に送達されうる。【選択図】図３
2011509771.tif 000002
【特許請求の範囲】
【請求項１】
ブリスターストリップ（２）の段階的な前方移動のための運搬装置（５）と、
好ましくは、一直線に並んだブリスターポケット（３）の蓋（１９）に穴をあけるための貫通部材（７）と、
好ましくは、マウスピース（８）と、を備え、
好ましくは、吸入中に息を吸い込むことにより、開けられたブリスターポケット（３）からそれぞれの用量を排出し、該用量を周囲の空気とともにエアロゾル雲（１１）として送達するために、周囲の空気の空気流（９）が吸い込まれるまたは送達されるように設計された吸入器（１）において、
前記吸入器（１）および／または運搬装置（５）が各々の段階または索引操作において、２つのブリスターポケット（３ａ、３ｂ）ずつ前記ブリスターストリップ（２）を前方へ動かすように適合されていることを特徴とする、好ましくは、用量中に吸入製剤を含む多数のブリスターポケット（３）を備える帯状のブリスターストリップ（２）から吸入製剤を送達するための吸入器（１）。
【請求項２】
好ましくは、ブリスターストリップ（２）の段階的な前方移動のための運搬装置（５）と、
好ましくは、一直線に並んだブリスターポケット（３）の蓋（１９）に穴をあけるための貫通部材（７）と、
末端部品、好ましくは、マウスピース（８）と、を備え、
好ましくは、吸入中に息を吸い込むことにより、開けられたブリスターポケット（３）からそれぞれの用量を排出し、該用量を周囲の空気とともにエアロゾル雲（１１）として送達するために、周囲の空気の空気流（９）が吸い込まれるまたは送達されるように設計された吸入器（１）において、
前記吸入器（１）および／または運搬装置（５）が、各々のブリスターストリップ（２）の１用量の吸入製剤が前記末端部品またはマウスピース（８）を経由して同時に排出されるように、２つのブリスターストリップ（２）を同時に受け入れるように適合されていることを特徴とする、好ましくは、用量中に吸入製剤を含む多数のブリスターポケット（３）を備える帯状のブリスターストリップ（２）から吸入製剤を送達するための吸入器（１）。
【請求項３】
前記２つのブリスターストリップ（２）が並んで配置され、かつ／または互いに平行に伸びることを特徴とする、請求項２に記載の吸入器。
【請求項４】
前記２つのブリスターストリップ（２）が渦巻き状に巻かれ、好ましくは同じ向きに巻かれる、かつ／または同軸性に渦巻き状に巻かれることを特徴とする、請求項２または請求項３に記載の吸入器。
【請求項５】
前記搬送車両（１４）が、前記２つのブリスターストリップ（２）を一般に搬送するよう適合されていることを特徴とする、請求項２から請求項４のいずれか１項に記載の吸入器。
【請求項６】
前記吸入器（１）が、前記２つのブリスターストリップ（２）を受け入れるための共通の受け入れ装置（１３）を備えることを特徴とする、請求項２から請求項５のいずれか１項に記載の吸入器。
【請求項７】
前記吸入器（１）が、前記２つのブリスターポケット（３ａ、３ｂ）の蓋（１９ａ、１９ｂ）に同時に穴をあけるための２つの貫通要素（１７ａ、１７ｂ）を備え、前記２つの穴をあけられたブリスターポケット（３ａ、３ｂ）の用量が前記マウスピース（８）を経由して同時に送達されうることを特徴とする、請求項１から請求項６のいずれか１項に記載の吸入器。
【請求項８】
好ましくは、ブリスターストリップ（２）の段階的な前方移動のための運搬装置（５）と、
一直線に並んだブリスターポケット（３）の蓋（１９）に穴をあけるための貫通部材（７）と、
好ましくは、マウスピース（８）と、を備え、
好ましくは、吸入中に息を吸い込むことにより、開けられたブリスターポケット（３）からそれぞれの用量を排出し、該用量を周囲の空気とともにエアロゾル雲（１１）として送達するために、周囲の空気の空気流（９）が吸い込まれるまたは送達されるように設計された吸入器（１）において、
前記吸入器（１）が、２つのブリスターポケット（３ａ、３ｂ）または1つのブリスターポケット（３）の２つの区画（２０ａ、２０ｂ）の蓋（１９ａ、１９ｂ）に同時におよび／または同じ送達のために穴をあけるための２つの貫通要素（１７ａ、１７ｂ）を備え、特に前記２つの穴をあけられたブリスターポケット（３ａ、３ｂ）または区画（２０ａ、２０ｂ）の用量が好ましくは前記マウスピース（８）を経由して同時に送達されうることを特徴とする、好ましくは、用量中に吸入製剤を含む多数のブリスターポケット（３）を備える帯状のブリスターストリップ（２）から吸入製剤を送達するための吸入器（１）。
【請求項９】
前記貫通部材（７）が、貫通要素（１７ａ、１７ｂ）の両方を備える、または形成することを特徴とする、請求項７または請求項８に記載の吸入器。
【請求項１０】
前記吸入器（１）が、前記２つの開けられたブリスターポケット（３ａ、３ｂ）もしくは区画（２０ａ、２０ｂ）と流体的に接続可能な、または前記２つの貫通要素（１７ａ、１７ｂ）に接続している２つの供給路（１８ａ、１８ｂ）を備えることを特徴とする、請求項７から請求項９のいずれか１項に記載の吸入器。
【請求項１１】
前記吸入器（１）が、吸入中に息を吸い込むことにより、周囲の空気が、前記２つの開けられたブリスターポケット（３ａ、３ｂ）もしくは区画（２０ａ、２０ｂ）を通り、前記供給路（１８ａ、１８ｂ）を通って前記マウスピース（８）の中へ同時に吸い込まれるように設計されていることを特徴とする、請求項１０に記載の吸入器。
【請求項１２】
貫通部材（７）および／または前記マウスピース（８）が前記２つの供給路（１８ａ、１８ｂ）を形成することを特徴とする、請求項１０または請求項１１に記載の吸入器。
【請求項１３】
前記２つの供給路（１８ａ、１８ｂ）が前記マウスピース（８）の中で終わることを特徴とする、請求項１０から請求項１２のいずれか１項に記載の吸入器。
【発明の詳細な説明】
【技術分野】
【０００１】
本発明は、請求項１、請求項２または請求項８のプリアンブルに記載の吸入器に関する。
【０００２】
本発明は、用量中に吸入製剤を含む多数のブリスターポケット（ブリスターとも呼ぶ）を備えるブリスターストリップから、粉末状吸入製剤を送達するための吸入器に関する。
【背景技術】
【０００３】
特許文献１は、ロールアップブリスターストリップを備える吸入器を開示している。この吸入器は、ブリスターストリップを段階的に動かすために運搬装置を操作する、手動で操作される旋回可能なアクチュエータを備える。アクチュエータは、貫通装置および関連するマウスピースを支持する。アクチュエータを旋回させることによって、ブリスターストリップは前方へ動かされ、ブリスターストリップのブリスターポケットは、次々に穴をあけられる。患者が息を吸い込むと、空気流が前もって穴をあけられたブリスターポケットを通過して、結果としてブリスターポケット中の吸入製剤が空気と混ざり、患者に排出される。
【先行技術文献】
【特許文献】
【０００４】
【特許文献１】英国特許第２４０７０４２Ａ号
【発明の概要】
【０００５】
本発明は、受動的吸入器、すなわち、患者または使用者が息を吸い込み、空気流を発生させると、その空気流が吸入製剤を取り込み、所望のエアロゾルを形成する吸入器に関する。
【０００６】
本発明の目的は、各々の使用中に異なる吸入製剤または二倍用量を送達することができる吸入器を提供することである。
【０００７】
上記目的は請求項１、請求項２または請求項８に記載の吸入器によって達成される。有利な実施形態は、下位請求項の対象である。
【０００８】
本発明の一態様によれば、吸入器および／または運搬装置は、各々の段階または索引操作（indexing
operation）中に２つのブリスターポケットずつ、ブリスターストリップを前方へ動かすように適合されている。したがって、吸入器の各々の使用中に、２つの隣接したブリスターポケットから２つの異なる吸入製剤を送達（排出）することができる。あるいは、２用量の同じ製剤を同時に排出することができる。
【０００９】
本発明のさらなる態様によれば、吸入器および／または運搬装置は、各々のブリスターストリップの１用量の吸入製剤を同時に排出することができるように、２つのブリスターストリップを同時に受け取るように適合されている。したがって、２つの異なる吸入製剤、すなわち、２つのブリスターストリップの中の１つの１ブリスターポケットから各々を排出または送達することが可能である。あるいは、２用量の同じ吸入製剤を、２つのブリスターストリップから同時に排出することができる。
【００１０】
本発明の他の態様によれば、吸入器は、同時にかつ／または同じ送達のために２つのブリスターポケットまたは１つのブリスターポケットの２つの区画の蓋に穴をあけるための２つの貫通要素を備え、好ましくは２つの穴をあけられたブリスターポケットまたは区画の用量をマウスピースを経由して同時に送達することができる。このことは、非常に単純な作動で、２つの異なる吸入製剤もしくは構成成分の、または２用量の同じ製剤を同時に送達するのを可能にする。
【００１１】
本発明によれば、異なる吸入製剤は別々に、すなわち異なるブリスターストリップ、ブリスターポケットまたは区画内に貯蔵され得る。したがって、不適合の吸入製剤または構成成分ですら使用することができる。吸入中のみ、異なる吸入製剤または構成成分は混ぜられる。特に、異なる吸入製剤または構成成分は、組み合わせもしくは相乗的な効果および／あるいは組み合わせ薬剤または異なる製剤もしくは薬剤の組み合わせの投与を可能にする。
【図面の簡単な説明】
【００１２】
【図１】説明目的のためのマウスピースカバーのない吸入器の概略断面図である。
【図２】説明目的のための閉じたマウスピースカバーを備える吸入器の概略断面図である。
【図３】本発明に記載の吸入器のマウスピースおよび貫通部材の領域の拡大断面図である。
【図４】本発明に記載の他の吸入器の図３と類似のマウスピースおよび貫通部材の領域の拡大断面図である。
【図５】本発明に記載のさらなる吸入器の概略斜視図である。
【図６】図５に記載のさらなる吸入器の貫通部材および関連するブリスターストリップの拡大断面図である。
【発明を実施するための形態】
【００１３】
本発明のさらなる態様、特徴、特性および長所は、図面を参照して、特許請求の範囲および引き続く好ましい実施形態の説明中に説明する。
【００１４】
繰り返しの説明は省略しているが、図中、同一のまたは類似の部品には同じ参照番号を用いている。特に、同一のまたは対応する長所および特性という結果になるまたはそのような長所および特性が得られうる。
【００１５】
図１は、概略断面図中に吸入器１を表している。好ましくは、吸入器１は持ち運び可能で、機械的にのみ動くおよび／またはハンドヘルドである。
【００１６】
吸入器１は、帯状のブリスターストリップ２から粉末吸入製剤を送達するのに役立つ。ブリスターストリップ２は、有限であり、無限のまたは閉じたループを形成しない。ブリスターストリップ２は、それぞれ１用量の包装していない吸入製剤を直接含む多数のブリスターポケット３を備える。したがって、製剤は予め計量されている。
【００１７】
吸入器１は、閉じた（密封された）ブリスターポケット３を備える未使用のブリスターストリップ２のためのリザーバー４を備える。ブリスターストリップ２は、リザーバー４中に巻き上げられるまたは引き上げられる。表示の例中、リザーバー４は、ブリスターストリップ２が可能な限り容易に外側に動かされる、またはリザーバー４の外に引き出されるように形成される。
【００１８】
表示の例中、ブリスターストリップ２は、リザーバー４に直接受け入れられている。しかしながら、この代わりに、カセット、容器、ドラムまたはそのようなものをブリスターストリップ２とともに、吸入器１またはリザーバー４の中に取り付けるまたは挿入することもできる。
【００１９】
ブリスターポケット３を、それぞれのブリスターポケット３が開けられ、空にされうる開位置および／または取出し位置６へ連続的に供給するため、吸入器１は各々の場合、１つのブリスターポケット３ずつ、矢印５ａの方向にブリスターストリップ２を段階的に前方へ動かすための運搬装置５を備える。
【００２０】
ブリスターポケット３は、好ましくは位置６でそれぞれ一直線に並んだブリスターポケット３の蓋１９に穴をあけるまたは切り開く貫通部材７によって、それぞれ開けられうる。貫通部材７は、それぞれのブリスターポケット３と吸入器１の隣接したマウスピース８とを流体的に接続する。
【００２１】
吸入中または吸入のために、患者または使用者は、図示しないが、マウスピース８を自分の口に置いて、息を吸い込む。その中に貫通部材７が伸びているそれぞれ開けられたブリスターポケット３は、吸い込みによって空にされる。周囲の空気の空気流９が、開けられたブリスターポケット３に吸い込まれてそこを通り過ぎる結果として、包装していない粉末１０（吸入製剤を形成し、図１中、マウスピース８の下の実際に開けられたブリスターポケット３中にのみ模式的に示されている）がマウスピース８を経由してエアロゾル雲１１として吸い込まれた周囲の空気とともに分配される。この状況は、図１に模式的に表されている。
【００２２】
吸入器１は、好ましくは、吸入器１のハウジング１２ａに旋回可能に装着されている、手動で作動可能なレバーのようなアクチュエータ１２を備える。貫通部材７およびマウスピース８は、アクチュエータ１２に取り付けられ、アクチュエータ１２によって支持される。
【００２３】
アクチュエータ１２は、貫通部材７に、マウスピース８の下の位置６でそれぞれ一直線に並んだブリスターポケット３の蓋１９に穴をあけさせるよう操作可能（旋回可能）である。
【００２４】
アクチュエータ１２が、図１に示す位置から（ここでは、反時計回りに）図３に示す部分的に開いた位置まで旋回するとき、貫通部材７は最後に穴をあけられたブリスターポケット３から引き出される。
【００２５】
次いで、ブリスターストリップ２は、１つのブリスターポケット３ずつ前方へ動かされ、その結果、次のブリスターポケット３が位置６に動かされる。このことは、後でより詳細に説明する。
【００２６】
アクチュエータ１２が図１に示す位置へ逆旋回する、すなわち、手動で逆に動かされると、ブリスターストリップ２の次の一直線に並んだブリスターポケット３が貫通部材７によって穴をあけられ、それにより開封される。次いで、吸入器１が作動されて、次の吸入が起こりうる。
【００２７】
吸入器１は、ブリスターストリップ２の使用済み部分を受け入れる、または貯蔵するための受け入れ空間または装置１３を備える。この受け入れ空間または装置１３は、使用済み部分が引き上げられるように形成される。図１は、本質的に充填されたリザーバー４およびまだ本質的に空の受け入れ空間１３をもつ状況を示している。
【００２８】
運搬装置５は、ブリスターポケット３の間に係合し、形状拘束法または形状適合法でブリスターストリップ２を搬送することができる運搬ホイール１４を備える。これにより、所望のようにおよび／または必要に応じてブリスターストリップ２の非常に安全なまたは正確な移動または索引が可能になる。
【００２９】
運搬装置５またはその運搬ホイール１４は、リザーバー４と受け入れ装置１３との間、特に取出し位置６と受け入れ装置１３との間、したがってブリスターポケット３を空にした後に配置される。
【００３０】
アクチュエータまたはレバー１２の旋回軸は、運搬ホイール１４の回転軸と同軸である。特に、アクチュエータまたはレバー１２は、運搬ホイール１４の軸によって支持されうる。
【００３１】
吸入器１は、マウスピースカバー１５を備える。マウスピースカバー１５は、吸入器１の基本的な原理のみを示す図１中には図示されていないが、吸入器１のより写実的であるが概略断面図を示す図２中に図示されている。図２は、閉じたマウスピースカバー１５を備える吸入器１を示し、ここではブリスターストリップ２は例示目的のために部分的に省略されている。図３は、完全に開けられたマウスピースカバー１５を備える吸入器１を示す。
【００３２】
マウスピースカバー１５は、図２および図３中に示され、本表示中の描写平面に垂直に伸びるカバー軸１６の周りを旋回可能である。
【００３３】
アクチュエータ１２の旋回軸は、カバー軸１６と同軸に伸びる。運搬ホイール１４の回転軸は、カバー軸１６およびアクチュエータ１２の旋回軸と同軸に伸びる。
【００３４】
運搬装置５またはその運搬ホイール１４は、マウスピースカバー１５、すなわちマウスピースカバー１５の旋回の動きによって駆動される。特に、マウスピースカバー１５が開けられると、ブリスターストリップ２は前方へ動かされる。好ましくは、マウスピースカバー１５を開ける運動の部分のみが、運搬装置５またはその運搬ホイール１４を作動または操作して、ブリスターストリップ２を前方へ動かす。
【００３５】
図２に示す完全に閉じた位置から始まって、マウスピースカバー１５が開けられるとき、開ける運動の第１段階、例えば約１０、２０、３０または４０度の第１角度まで、マウスピースカバー１５と運搬ホイール１４との間のそれぞれのフリーホイール（図示せず）のためにブリスターストリップ２は動かない。
【００３６】
第一に、貫通部材７を以前に穴をあけられて通常／既に空にされたブリスターポケット３から引き出すために、アクチュエータ１２を動かすまたは開けなければならない。このアクチュエータを開ける運動は手動で行うことができる。しかしながら、好ましくは、マウスピースカバー１５を開けるときに、アクチュエータ１２が自動的にまたはマウスピースカバー１５と一緒に開く。
【００３７】
特に、マウスピースカバー１５は、第１角度まで開けられる。マウスピースカバー１５がアクチュエータ１２の開位置に達するまたはそこを越えると、アクチュエータ１２は、特にバイアス手段またはばね手段（図示せず）などのために、図２に示す開位置に自動的に開くことができる。しかしながら、アクチュエータ１２がその開位置または第１角度に達するまで、開ける運動の第１段階において、アクチュエータ１２はマウスピースカバー１５と一緒に動くことが可能であり、それが好ましい（例えば、ラチェット機構、ばね、連結手段などによって）。
【００３８】
アクチュエータ１２の開位置は、好ましくは、任意の潜在的な外部影響を避けるまたは少なくとも最小限にするために、貫通部材７が外部にさらされず、かつ／または吸入器１が完全に開けられないようにセットされる。
【００３９】
アクチュエータ１２の開位置を制限するために、アクチュエータ１２の開いている範囲または旋回範囲は、マウスピースカバー１５の該範囲よりも小さく、かつ／または好ましくは多くとも２０度、特に約１０度以下に制限される。
【００４０】
しかしながら、アクチュエータ１２がその開位置を制限されないことも可能で、アクチュエータ１２が、特にマウスピースカバー１５と一緒にマウスピースカバー１５まで開くまたは旋回することができる。
【００４１】
マウスピースカバー１５をさらに開ける間（第２段階）、運搬装置５またはその搬送車両１４は、空にされる次のブリスターポケット３までブリスターストリップ２を前方へ動かすまたは索引をつけるよう作動させられる。このブリスターの移動は、好ましくはマウスピースカバー１５が完全に開くまで起こる。
【００４２】
マウスピースカバー１５が十分に開けられて、次のブリスターポケット３が位置６に動かされたとき、既に一直線に並んだ、まだ閉じたブリスターポケット３に穴をあけるために、アクチュエータ１２を逆旋回する、すなわち閉じることができる。次いで、吸入器１は、吸入のための用意ができる、すなわち既に説明したように作動させられる。
【００４３】
吸入後、吸入器１はマウスピースカバー１５を逆旋回させて閉位置にすることによって、閉じることができる。
【００４４】
上記のまたは任意の他の適当な方法でマウスピースカバー１５を動かすことによって運搬装置５またはその搬送車両１４を操作するために、マウスピースカバー１５は、既に述べたフリーホイールと適当な伝動装置、滑りクラッチまたは任意の他の適当な連結装置などを経由して、運搬装置５、特に搬送車両１４と連結される。
【００４５】
好ましくは、フリーホイール、伝達装置、連結装置などは、運搬ホイール１４またはそれぞれの車軸の中に統合される、またはそれらに隣接して配置される。
【００４６】
図３は、本発明に記載の吸入器の貫通部材７およびマウスピース８の領域の拡大断面図を示す。
【００４７】
図３に概略的に示す（縮尺率は一定でない）ように、吸入器１、ここではその貫通部材７は、好ましくは２つのブリスターポケット３ａ、３ｂの蓋１９ａ、１９ｂに同時に穴をあけるための２つの貫通要素１７ａ、１７ｂを備える。
【００４８】
好ましくは、吸入器１は、２つの開けられたブリスターポケット３ａ、３ｂに流体的に接続可能な、または２つの貫通要素１７ａ、１７ｂに流体的に接続された２つの供給路１８ａ、１８ｂを備える。
【００４９】
穴をあけられた２つのブリスターポケット３ａ、３ｂは、同じ吸入製剤１０または異なる吸入製剤１０ａおよび１０ｂを含んでよい。後者の場合、ブリスターストリップ２は、好ましくは代わりにそのブリスターポケット３の中に異なる吸入製剤１０ａおよび１０ｂを含む。
【００５０】
好ましくは、２つの同時に穴をあけられたブリスターポケット３の用量は、図３に概略的に示すように、マウスピース８を経由して同時に送達することができる。特に、吸入器１は、吸入中に息を吸い込むことによって、周囲の空気が２つの開けられたブリスターポケット３ａ、３ｂを通り、さらに２つの供給路１８ａおよび１８ｂを通ってマウスピース８の中に同時に吸い込まれるように設計される。
【００５１】
図３またはこの後に概略的に示すように、好ましくは、各々の吸入製剤、ここでは粉末１０ａおよび１０ｂは、吸入中、それぞれエアロゾル雲１１ａおよび１１ｂとして分配され、好ましくは共通のマウスピース８の中でエアロゾル雲１１ａおよび１１ｂは混ざり、共通のエアロゾル雲１１を形成する。
【００５２】
好ましい実施形態では、貫通部材７は貫通要素１７ａ、１７ｂの両方を備える、または形成する。しかしながら、貫通要素１７ａ、１７ｂは、別の部品、マウスピース８または吸入器１の任意の他の構成要素によって形成されることも可能である。
【００５３】
供給路１８ａ、１８ｂは、好ましくはそれぞれチャネル、ダクトなどによって形成される。好ましくは、供給路１８ａ、１８ｂはマウスピース８の中にまたはマウスピース８によって形成される。特に、供給路１８ａおよび１８ｂは、マウスピース８の中で終わり、好ましくは混合区域が吸入器１もしくはマウスピース８の中、および／またはマウスピース８の出口に隣接して形成される。
【００５４】
好ましくは、吸入器１またはその運搬装置５は、各々の段階または索引操作で、常に２つのブリスターポケット３ａ、３ｂずつブリスターストリップ２を前方へ動かすように設計され、または適合されている。したがって、各々の索引段階または操作で、２つのそれぞれ未使用の（閉じた）ブリスターポケット３ａ、３ｂは、貫通要素１７ａ、１７ｂの下に一直線に並べられる、または動かされる。
【００５５】
図４は、図３と類似の概略断面図中に、本発明に記載の吸入器の他の実施形態を示している。ここで、各々のブリスターポケット３は２つの分かれた区画２０ａおよび２０ｂを備えるまたは形成する。特に、区画２０ａおよび２０ｂは、ブリスターポケット３を区画２０ａおよび２０ｂに分ける仕切り壁３ｃによって形成される。しかしながら、他の構造上の解決策も可能である。
【００５６】
１つのブリスターポケット３の区画２０ａおよび２０ｂの両方は、１つの共通蓋１９によって覆われていてよい。しかしながら、蓋１９のそれぞれの部分１９ａおよび１９ｂ、または言い換えると個々の蓋１９ａおよび１９ｂは、好ましくは、図３に記載の実施形態と同様の個々のおよび別々の貫通要素１７ａおよび１７ｂによって穴をあけられる。
【００５７】
区画２０ａおよび２０ｂは、同じ吸入製剤または、好ましくは異なる吸入製剤（粉末１０ａおよび１０ｂ）を含んでよい。
【００５８】
図４に記載の実施形態は、特に図３に記載の実施形態と比較して、非常に小型の構造を可能にする。さらに、図３に記載の実施形態の場合のように２つのブリスターポケット３刻みではなく、ほんの１つのブリスターポケット３刻みにブリスターストリップ２を前方へ動かすことで十分である。
【００５９】
２つの区画２０ａおよび２０ｂは、ブリスターストリップ２の縦方向または前方移動５ａの方向に次々に一直線に並ぶまたは配置されうる。しかしながら、関連する区画２０ａおよび２０ｂを、横に、特にこの方向に垂直に配置することも可能である。
【００６０】
図３に記載の実施形態に関して述べた説明および可能性は、好ましくは、図４に記載の実施形態、さらには以下に説明するさらなる実施形態にも同様に適用する。
【００６１】
図５は、概略斜視図中に、本発明に記載の吸入器のさらなる実施形態を示している。吸入器１は、２つのブリスターストリップ２ａおよび２ｂを備える、またはこれらを受け入れるように適合されている。
【００６２】
ブリスターストリップ２ａ、２ｂは、好ましくは並んで配置され、かつ／または好ましくは互いに平行に伸びる。
【００６３】
好ましくは、図５に概略的に示すように、ブリスターストリップ２ａおよび２ｂは渦巻き状に巻かれ、特に同じ向きに巻かれる。
【００６４】
好ましくは、ブリスターストリップ２ａおよび２ｂは、同軸性に渦巻き状に巻かれる。好ましくは、ブリスターストリップ２ａおよび２ｂの輪は、折り重なって配置され、かつ／または本質的に同じ大きさである。
【００６５】
２つのブリスターストリップ２ａおよび２ｂは、別々のブリスターストリップ２ａおよび２ｂの別々のブリスターポケット３に蓄えられた２用量の吸入製剤を同時に送達することを可能にする。
【００６６】
好ましくは、これらの製剤は、有利な組み合わせの薬物が送達できるように、２つの異なる製剤であろう。本発明の特定の態様は、異なる製剤が２つの別々のブリスターストリップ２ａおよび２ｂの中に独立して充填され、密封されうることである。充填および密封の後に、２つのブリスターストリップ２ａおよび２ｂは、吸入器１の組み立てに集められる。これにより、２つの異なる化合物の充填物が１つの装置、吸入器１またはブリスターストリップ２の中で結合するのを避けられる。
【００６７】
ブリスターストリップ２ａおよび２ｂは、好ましくは、共通の運搬装置５、特に共通の運搬ホイール１４によって、前方へ搬送される、または動かされる。特に、搬送車両１４は、ブリスターストリップ２ａおよび２ｂの両方が同時に駆動されるように、軸方向に寸法を決められる。しかしながら、他の構造上の解決策も可能である。
【００６８】
好ましくは、吸入器１は２つのブリスターストリップ２ａおよび２ｂを受け入れるための共通の受け入れ装置１３を備える。しかしながら、異なる受け入れ装置１３を代わりに使用することができる。
【００６９】
好ましくは、ブリスターストリップ２ａおよび２ｂは、互いに平行にかつ／または２つの別々のもしくは異なる平面で動かされる。これは、好ましくは蓄えられた未使用のブリスターコイルまたはストリップ２ａおよび２ｂのため、および／または使用済みブリスターコイルまたはストリップ２ａおよび２ｂのために適用される。
【００７０】
使用中、各々のブリスターストリップ２ａおよび２ｂからの吸入製剤の用量は、使用者によって同時に吸入されうる。特に、マウスピースカバー１５またはアクチュエータ１２は、同時にブリスターストリップ２ａおよび２ｂの両方を動かして貫通部材７（図５中には図示せず）と一直線に並べるよう操作可能である。さらに、図６に概略的に示すように、アクチュエータ１２は、貫通要素１７ａおよび１７ｂを備える貫通部材７に、ブリスター２ａおよび２ｂのそれぞれのブリスターポケット３ａおよび３ｂの蓋に同時に穴をあけさせるよう操作可能である。使用者がマウスピース８を通して吸入すると、各々の開けられたブリスターポケット３ａおよび３ｂを通る気流が発生し、その中に含まれる用量を取り込み、ブリスターポケット３ａおよび３ｂの外に用量を運び、マウスピース８を経由して使用者の気道の中に用量を送達する。
【００７１】
一般に、使用済みブリスターポケット３ａおよび３ｂは、吸入器１から取り除かれるか、あるいはハウジング１２ａの中に保持されてもよい。
【００７２】
図６は、マウスピース８を直接形成しうる、またはマウスピース８に接続されるもしくは挿入されうる貫通部材７を示している。
【００７３】
貫通部材７は、図３および４の貫通部材と設計または構造が少し異なる。説明の反復を避けるため、図３および４に示す貫通部材７に関する上記説明について参照されたい。
【００７４】
図６はさらに、開けられたブリスターポケット３ａおよび３ｂの中にそれぞれ吸い込まれる流路または空気流２１ａおよび２１ｂを示している。貫通部材７または貫通要素１７ａおよび１７ｂは、ブリスターポケット３ａおよび３ｂの蓋に穴を開けるまたは蓋を開く手段をそれぞれ備え、結果として空気流２１ａおよび２１ｂのための適当な吸入口が形成され、適当な吐出口が形成されて、その吐出口を通って、空気が取り込まれた製剤とともに、供給路１８ａおよび１８ｂを通ってブリスターポケット３ａおよび３ｂの外に流れ、引き続き、好ましくは共通の出口領域またはマウスピース８の中へ流れる。しかしながら、空気流及びそれぞれの製剤は、好ましいまたは必要な場合には、別々にマウスピース８の端まで案内されてもよい。
【００７５】
２つのブリスターストリップ２ａおよび２ｂの代わりに、単一のブリスターストリップ２を用いて、ブリスターポケット３をブリスターストリップ２の長さに沿った２つの平行な列または線に配置することができることに留意すべきである。ブリスターポケット３の列または線は、上述のように、異なる吸入製剤もしくは構成成分、または同じ吸入製剤を含んでよい。
【００７６】
一般に、既に述べたように、２つの異なる吸入製剤を同時に送達してよい。例えば、長時間作用型β刺激薬（ＬＡＢＡ）および吸入ステロイド薬（ＩＣＳ）は、ともに送達してよい。これにより、潜在的に向上した治療を提供し、患者が持ち歩く必要がある吸入器の数を減らすことができる。
【００７７】
あるブリスターストリップが、ＬＡＢＡおよびＩＣＳの組み合わせ製剤を含み、別のストリップが異なる単一のまたは組み合わせの製剤を含むことさえ可能で、３重または４重の治療選択肢を提供できる。これは、上述の単一ブリスターストリップ２の場合にも適用される。
【００７８】
既に述べたように、２つのブリスターストリップ２ａおよび２ｂは、同じ吸入製剤を運ぶこともできる。この場合、吸入器１の用量収容能力は増加するだろう。
【００７９】
説明した実施形態および代替形態の個々の特徴および態様は、所望のように組み合わせてよい。
【００８０】
好ましくは、「ブリスターストリップ」および「ブリスターポケット」という用語は、製剤のための容器またはバルク容器さえ含む他の種類の貯蔵手段も包含する非常に広い意味で理解されなければならない。
【符号の説明】
【００８１】
１      吸入器
２      ブリスターストリップ
２ａ    ブリスターストリップ
２ｂ    ブリスターストリップ
３      ブリスターポケット
３ａ    ブリスターポケット
３ｂ    ブリスターポケット
３ｃ    仕切り壁
４      リザーバー
５      運搬装置
５ａ    前方移動
６      開位置および／または取出し位置
７      貫通部材
８      マウスピース
９      空気流
１０    粉末
１０ａ  粉末
１０ｂ  粉末
１１    エアロゾル雲
１１ａ  エアロゾル雲
１１ｂ  エアロゾル雲
１２    アクチュエータ
１２ａ  ハウジング
１３    受け入れ装置
１４    運搬ホイール
１５    マウスピースカバー
１６    カバー軸
１７ａ  貫通要素
１７ｂ  貫通要素
１８ａ  供給路
１８ｂ  供給路
１９    蓋
１９ａ  蓋
１９ｂ  蓋
２０ａ  区画
２０ｂ  区画
２１ａ  空気流
２１ｂ  空気流
【図１】
2011509771.tif 000003
【図２】
2011509771.tif 000004
【図３】
2011509771.tif 000005
【図４】
2011509771.tif 000006
【図５】
2011509771.tif 000007
【図６】
2011509771.tif 000008
【国際調査報告】
2011509771.tif 000009
2011509771.tif 000010
2011509771.tif 000011
2011509771.tif 000012